(57)【特許請求の範囲】
【請求項１】
上部が開口になっている簡易容器において、
上部開口の周縁部を外側に折返して胴部の上端側の外周面に沿うように折返し部を形成するとともに、折返されて形成された前記折返し部の高さ方向の中間部であって前記胴部の外表面と連続する表面を開口縁部の外側の前記胴部の外表面上に接着するとともに、前記折返し部の下端の先端部が前記胴部の外表面に接着されないようにしたことを特徴とする簡易容器。
【請求項２】
主材料が紙から構成されるとともに、紙の少なくとも前記胴部の外表面と対応する表面に高分子フィルムが接合されており、開口の周縁部が折返されたときに前記高分子フィルムが接合された表面が互いに接するようになされ、
前記高分子フィルムの熱溶着によって前記折返し部の中間部が接着されることを特徴とする請求項１に記載の簡易容器。
【請求項３】
開口縁部の外側に前記折返し部の中間部が接着剤または糊剤によって接着されていることを特徴とする請求項１に記載の簡易容器。
【請求項４】
折返された前記折返し部の先端よりも開口縁部側において接着されるとともに、折返された前記折返し部の下端の先端側が開口縁部の外側の外表面から離間していることを特徴とする請求項１〜請求項３の何れかに記載の簡易容器。
【請求項５】
前記折返し部の前記胴部に接着された中間部と開口縁部の外側の外表面との間に空間が形成されることを特徴とする請求項１〜請求項４の何れかに記載の簡易容器。
【請求項６】
底板が別部材から成る組立て容器であることを特徴とする請求項１〜請求項５の何れかに記載の簡易容器。
【請求項７】
底部が一体になっている絞り容器であることを特徴とする請求項１〜請求項５の何れかに記載の簡易容器。
【発明の詳細な説明】
【０００１】
【発明の属する技術分野】
本発明は簡易容器に係り、とくに上部が開口になっている簡易容器に関する。
【０００２】
【従来の技術】
各種の食品や飲料を供給するための容器として、紙を主材料とする簡易容器が広く利用されている。また使捨て式の容器として、紙コップから成る簡易容器が用いられている。
【０００３】
この種の簡易容器は、例えば扇形の原紙を巻いてカップ状の胴部を形成するとともに、別部材から成る底板を底部に組合わせるようにして構成されている。あるいはまた円形の板紙を絞り加工してカップ状の形状に成形している。
【０００４】
【発明が解決しようとする課題】
このような簡易容器は、その上部、とくに開口縁部の強度が弱いと、容器としての形状を保つ性質、すなわち保形性が損われることになる。また被せ蓋によって上部開口を閉塞するように装着する場合に、被せ蓋の嵌合が難しい等の問題がある。そこでとくに容器の上部の強度を向上させるために、材料を工夫するか、あるいはまた開口縁部にリムやカール部を設けるようにしている。
【０００５】
開口縁部にリムあるいはカール部を設けることによって、容器の上部のとくに開口縁部の強度が向上する。強度をさらに向上させるためにはリムまたはカール部の少なくとも一部を接着させることが好ましい。ところがリムまたはカール部の一部だけを効果的にかつ簡易的に接着するための適正形状が提案されていない。また熱可塑性樹脂がラミネートされた紙を用いた簡易容器の場合には、この熱可塑性樹脂を接着剤の代りに使用することが可能だが、熱可塑性樹脂が容器加工用ツール類に溶着し易くなり、加工に支障を来たす場合がある。
【０００６】
本発明はこのような問題点に鑑みてなされたものであって、容器の上部のとくに開口縁部の強度が十分な値を有し、これによって高い保形性を有する簡易容器を提供することを目的とする。
【０００７】
【課題を解決するための手段】
本願の一発明は、上部が開口になっている簡易容器において、
上部開口の周縁部を外側に折返して胴部の上端側の外周面に沿うように折返し部を形成するとともに、折返されて形成された前記折返し部の高さ方向の中間部であって前記胴部の外表面と連続する表面を開口縁部の外側の前記胴部の外表面上に接着するとともに、前記折返し部の下端の先端部が前記胴部の外表面に接着されないようにしたことを特徴とする簡易容器に関するものである。
【０００８】
ここで、主材料が紙から構成されるとともに、紙の少なくとも前記胴部の外表面と対応する表面に高分子フィルムが接合されており、開口の周縁部が折返されたときに前記高分子フィルムが接合された表面が互いに接するようになされ、前記高分子フィルムの熱溶着によって前記折返し部の中間部が接着されてよい。また開口縁部の外側に前記折返し部の中間部が接着剤または糊剤によって接着するようにしてよい。また折返された前記折返し部の先端よりも開口縁部側において接着されるとともに、折返された前記折返し部の下端の先端側が開口縁部の外側の外表面から離間してよい。また前記折返し部の前記胴部に接着された中間部と開口縁部の外側の外表面との間に空間が形成されてよい。またこのような簡易容器は、底板が別部材から成る組立て容器、あるいは底部が一体になっている絞り容器であってよい。
【０００９】
【作用】
本願の上記一発明によれば、上部開口の周縁部が外側に折返されるとともに、折返されて形成された折返し部の高さ方向の中間部が開口縁部の外側の外表面上に接着されている。従って折返し部分が接着されて固定されることになり、これによって折返し部分の変形が阻止され、上部のとくに開口縁部の強度が向上する。従ってこのような開口縁部の強度によって、高い保形性を有する簡易容器が提供される。
【００１０】
【発明の実施の形態】
以下本発明を図示の実施の形態によって説明する。まず第１の実施の形態を図１〜図３によって説明する。この簡易容器は、扇形原紙を巻いて形成される逆円錐台状の胴部１０を有している。なお異形の扇形原紙を用いて逆多角錐台状の形状としてもよい。そしてこのような胴部１０の底部開口が底板１１によって閉塞されるようになっている。図２に示すように底板１１はその外周側の部分が下方に折曲げられて周壁部１２を構成し、このような周壁部１２が胴部１０の下端と折曲げ部１３とによって挟着され、これによって底板１１が胴部１０の底部に結合されている。
【００１１】
このようなカップ状をなす簡易容器は、その上部開口１７の周縁部が外側へ折返されて折返し部１８が形成されている。折返し部１８の内側であって開口縁部との間には図３に示すように空間１９が上部開口１７の周縁部に沿って形成されるようになっている。しかも折返し部１８の先端部２０は開口縁部の外側の外表面から離間されている。そして先端部２０よりも開口縁部側において、接着部２１のところで折返し部１８が胴部１０の外表面上に接着されている。
【００１２】
このような簡易容器は、紙を主材料とする簡易容器であって、図３に示すように紙２５の両面にそれぞれラミネートフィルム２６、２７を接合したものである。ここでラミネートフィルム２６、２７はそれぞれ適当な融点の熱可塑性樹脂から選択される。そしてとくに図３に示すように、折返し部１８を外側に折返されたときに胴部１０の外表面に接合されているラミネートフィルム２７が互いに接するようになり、このようなラミネートアフィルム２７の熱溶着によって接着部２１が形成されるようになっている。
【００１３】
このように本実施の形態の簡易容器は、図３に示すように紙２５の両面にラミネートフィルム２６、２７を積層した３層構造の原紙から構成されており、外側のラミネートフィルム２７の熱溶着によって接着部２１を形成するようにしている。ここでラミネートフィルム２７による熱溶着は、ホットエア、あるいはフレーム加熱の後圧着を行なうようにしている。なおこのような熱溶着に代えて、熱板圧着やホットエアとヒータとの組合わせによる加熱後の圧着、あるいはまた超音波溶着による接着を行なうようにしてもよい。
【００１４】
ラミネートフィルム２７を用いた熱溶着の場合において、このような熱溶着を行なう際の熱で折返されたときの折返し部１８の外側に露出するように位置するラミネートフィルム２６がダメージを受ける可能性がある。そこでラミネートフィルム２７よりもラミネートフィルム２６の方が融点が高い熱可塑性樹脂を選択し、適当な加熱温度を選択することによって、外表面のラミネートフィルム２６を溶解することなくしかももう一方の表面のラミネートフィルム２７によって接着部２１を良好に形成することが可能になる。
【００１５】
ここで図３に示すように、折返し部１８の先端部２０が開口縁部の外側の表面から離間されている。これは先端部２０と対応する位置において、胴部１０の外表面のラミネートフィルム２７が加熱溶着時あるいは圧着時にダメージを受けることを防止するためである。すなわち圧着体の大きさを、接着部２１の部分を効果的に押圧する大きさにし、先端部２０の部分を押圧しない大きさに限定するようにしている。従って先端部２０の内側において胴部１０の外表面がダメージを受けることが防止される。なお超音波等の適切な方法で接着させる場合は、先端部２０まで圧着させるようにしてもよい。
【００１６】
このような簡易容器は、胴部１０の上部開口１７の周縁部を外側に折返して接着部２１の部分を熱溶着するようにしているために、簡易な加工でしかも折返し部１８の成形を行なうことが可能になり、これによって簡易容器のコストの上昇を防止できるようになる。しかも折返し部１８が接着部２１のところで開口縁部の外側の外表面上に接着されているために、このような折返し部１８によってとくに開口縁部の部分の円周方向の強度を高めることが可能になる。従って容器の保形性が改善されることになり、容器を持ったときにおいて持った部分が内側に変形することがなくなる。また被せ蓋を装着する場合において、被せ蓋と容器の開口縁部との嵌合の密着性が改善されることになる。また接着部２１を有する折返し部１８によってとくに容器の上部の強度が大きくなるとともに保形性が改善されることから、材料原紙の厚さを薄くすることが可能になり、これによってコストの低減が図られることになる。
【００１７】
次に第２の実施の形態を図４および図５によって説明する。この実施の形態は、胴部１０の底部開口を閉塞する底板１１の構造が異なっている。すなわち底板１１の外周側には上方へ折曲げられた周壁部１２が形成されており、このような周壁部１２が胴部１０の内周面に接合されて底部開口が閉塞されるようになっている。
【００１８】
またこのような簡易容器は、その上部開口１７の周縁部を外側に折返して成る折返し部１８の上端側の部分が図５に示すようにほぼ円弧状をなしており、内側に空間１９が形成されている。とくに折返し部１８の断面形状を円弧状とすることによって、図３に示す第１の実施の形態よりも折返し部１８の強度を高めることが可能になり、保形性がさらに改善される。また先端部２０が胴部１０の外周側から大きく離間しているために、上記実施の形態と同様に先端部２０の内側の胴部１０の外周面のダメージが防止されることになる。なお超音波等のダメージの少ない方法で接着する場合は、先端部２０を胴部１０の外周面に近接あるいは接触させてよい。
【００１９】
次にさらに別の実施の形態を図６および図７によって説明する。この実施の形態は胴部１０の底部開口を閉塞する底板１１の外周側に形成されている周壁部１２が胴部１０の下端側の外表面に接合されるようになっている。
【００２０】
またここでは上部開口１７の周縁部を外側へ折返して成る折返し部１８の全体の形状が上記第２の実施の形態とほぼ同様の形状をなすとともに、とくに図７に示すように、先端部２０の外周側への逃がし量を少なくしている。すなわち接着部２１を形成するための熱溶着の際の圧着の治具を変更することによって、先端部２０の外周側への逃がし量を少なくするようにしたものである。
【００２１】
次にさらに別の実施の形態を図８および図９によって説明する。この実施の形態は、容器それ自体をほぼ円形の単一の板紙から成形した絞り容器に関するものであって、底板１１が胴部１０と連続する単一の板紙によって絞り成形されたものである。
【００２２】
そしてここで上部開口１７の周縁部を外側に折返すことによって、図９に示すように２段に円弧状断面を有する形状としている。そしてこのように２段に形成されている折返し部１８のとくに高さ方向の中間位置において折返し部１８を接着部２１の接着によって胴部１０の外表面に接着するようにしている。
【００２３】
一般に単一の円形の板紙から成る絞り容器の場合には、胴の部分を絞るようにしているために、胴の部分の円周方向の強度が弱く、内容物を入れて持ったときに容器が内容物の重さで開いて変形する可能性がある。すなわち内容物の重さによって胴の部分が開くと、これによって内容物がこぼれ落ちたり流出したりする可能性がある。ところが図８および図９に示す構成によれば、とくに開口縁部を外側へ折返して成る折返し部１８が接着部２１のところで接着されており、このような接着部２１が円周方向の強度をこの容器に対して与え、このために内容物を入れて容器を持ったときにおいても、この容器が開くように変形することがなく、このために内容物がこぼれることも防止される。
【００２４】
次にさらに別の実施の形態を図１０および図１１によって説明する。この実施の形態は、円形の板紙によってとくに外周側の部分を絞って胴部１０を形成したものである。従って底板１１と胴部１０とは連続した単一の板紙から構成される。しかも上部開口１７の周縁部を外側に折返すことによって、折返し部１８が形成されている。ここで折返し部１８はとくに図１１に示すように、胴部１０の上端側であって開口縁部の外側の部分にその高さ方向の全長においてほぼ重なるようになっている。しかも折返し部１８の高さ方向の中間位置において接着部２１によって折返し部１８が胴部１０の外表面に接着されている。従ってこのような絞り容器によれば、とくに開口縁部を外側へ折返して成る折返し部１８によって、この容器に保形性が与えられ、内容物を入れて持ったときにおいてこの容器が変形することがない。
【００２５】
次にさらに別の実施の形態を図１２および図１３によって説明する。この実施の形態の簡易容器は、円形の板紙を絞り成形して成る絞り容器であって、底板１１と胴部１０とが連続する単一の板紙から構成されており、図１２に示すようにほぼ皿状をなす形状になっている。
【００２６】
しかもこのような簡易容器の上部開口１７の周縁部が外側へ折返されて折返し部１８が形成されている。ここで折返し部１８はその高さ方向の中間位置において接着部２１のところで開口縁部の外側の外表面上に接着されている。またこのような折返し部１８の下端側の部分であって先端部２０は外側へ屈曲されており、胴部１０の部分の外表面から離間している。
【００２７】
従ってこのような容器においても、胴部１０側の折返し部１８によってこの容器に対して円周方向の強度が与えられ、容器が高い保形性を有するようになる。従って内容物を入れてこの容器を持っても、内容物の重さによって容器が開いたり変形したりすることが防止される。また折返し部１８の外周側へ屈曲する先端部２０によってとくにその内側の部分におけるラミネートフィルム２７の損傷が防止されるようになり、外観を損なうことがない。
【００２８】
次にさらに別の実施の形態を図１４〜図１６によって説明する。この実施の形態はほぼ矩形状をなす板紙原紙を用いて偏平なトレー状容器を形成するようにしたものである。すなわち矩形の原紙の周縁部を絞ることによって、周縁部によって胴部１０を形成するとともに、このような胴部１０の上端側を外側へ折返して２重のフランジ構造としたものである。折返し部１８はその上面が図１６Ａに示すように接着剤２１によって折返し部分の上側の平坦なフランジ状部分に接着されている。なおここで図１６Ｂに示すように、折返し部１８の先端部２０をさらに下方に折曲げるようにしてもよい。
【００２９】
このような構造によれば、紙を絞ったトレー状の容器の周縁部の２重のフランジ構造によってその保形性、すなわち元の形態を維持する機能がより高められた簡易容器が提供されることになる。
【００３０】
以上本発明を図示の実施の形態によって説明したが、本発明は上記実施の形態によって限定されることなく、本発明の技術的思想に基いて各種の変更が可能である。例えば容器の形状については、上記実施の形態の形状に限定されることなく、その他各種の形態の簡易容器に広く適用可能である。また上記実施の形態においては、ラミネートフィルム２７の熱溶着によって折返し部１８の熱溶着を行なうようにしているが、このような熱溶着に代えて、ホットメルト型、その他の接着剤あるいは糊剤によって接着を行なうことが可能である。
【００３１】
また上記実施の形態においては、図３、図５、図７、図９、図１１、図１３、および図１６に示すように、紙２５の両側にラミネートフィルム２６、２７が接合された原紙を用いるようにしているが、ラミネートフィルム２６、２７を溶着の手段として用いない場合には、紙のみから成る単層の原紙によって容器を形成するようにしてもよい。あるいはまた一方の面にのみラミネートフィルムが接合された紙によって容器を形成するようにしてもよい。この他に上記３層以外の構成の原紙を用いて容器を形成することも可能である。
【００３２】
また上記の主要な実施の形態は、カップ状、あるいはまた皿状の円形の容器に関するものであるが、本願発明は必ずしもこのような円形の容器に限定されるものではない。すなわち例えば矩形の原紙を用い、このような矩形の原紙を絞り加工して矩形の絞り容器を形成してもよい。あるいはまたトレー状の容器にも適用可能である。
【００３３】
【発明の効果】
以上のように本発明は、上部が開口になっている簡易容器において、上部開口の周縁部を外側に折返して胴部の上端側の外周面に沿うように折返し部を形成するとともに、折返されて形成された折返し部の高さ方向の中間部であって胴部の外表面と連続する表面を開口縁部の外側の胴部の外表面上に接着するとともに、折返し部の下端の先端部が胴部の外表面に接着されないようにしたものである。
【００３４】
従ってこのような容器によれば、上部開口の周縁部を外側に折返すとともに、少なくとも一部を開口縁部の外側の外表面上に接着した折返し部によって、この容器の開口縁部に対して円周方向の強度を与えるとともに、容器の上部側の部分の保形性を大幅に改善することが可能になる。従って内容物の重さによって容器が変形することが防止され、あるいはまた被せ蓋を装着する場合に、被せ蓋との密着性が改善されるようになる。
【図面の簡単な説明】
【図１】第１の実施の形態の簡易容器の外観斜視図である。
【図２】同簡易容器の縦断面図である。
【図３】折返し部の構造を示す拡大縦断面図である。
【図４】別の実施の形態の簡易容器の縦断面図である。
【図５】折返し部の構造を示す拡大縦断面図である。
【図６】さらに別の実施の形態の簡易容器の縦断面図である。
【図７】折返し部の構造を示す要部拡大断面図である。
【図８】さらに別の実施の形態の簡易容器の縦断面図である。
【図９】同簡易容器の折返し部の構造を示す拡大縦断面図である。
【図１０】さらに別の実施の形態の簡易容器の縦断面図である。
【図１１】同簡易容器の折返し部の構造を示す拡大縦断面図である。
【図１２】さらに別の実施の形態の簡易容器の構造を示す縦断面図である。
【図１３】折返し部の構造を示す拡大縦断面図である。
【図１４】さらに別の実施の形態のトレー状簡易容器の構造を示す斜視図である。
【図１５】同簡易容器の縦断面図である。
【図１６】折返し部の構造を示す拡大縦断面図である。
【符号の説明】
１０  胴部
１１  底板
１２  周壁部
１３  折曲げ部
１７  上部開口
１８  折返し部
１９  空間
２０  先端部
２１  接着部
２５  紙
２６、２７  ラミネートフィルム
【図１】
0004446458.tif 000002
【図２】
0004446458.tif 000003
【図３】
0004446458.tif 000004
【図４】
0004446458.tif 000005
【図５】
0004446458.tif 000006
【図６】
0004446458.tif 000007
【図７】
0004446458.tif 000008
【図８】
0004446458.tif 000009
【図９】
0004446458.tif 000010
【図１０】
0004446458.tif 000011
【図１１】
0004446458.tif 000012
【図１２】
0004446458.tif 000013
【図１３】
0004446458.tif 000014
【図１４】
0004446458.tif 000015
【図１５】
0004446458.tif 000016
【図１６】
0004446458.tif 000017